(57)【要約】【課題】搬送ラインやケースに対しての防汚染性、被覆材の耐傷性、内容物に対する遮光性、及び経済性に優れたリターナブル瓶用被覆材の被覆方法及びリターナブル瓶を提供する。【解決手段】内容物を充填したリターナブル瓶１をケースに収容する前に、特定波長の光線を遮光するためのリターナブル瓶用被覆材７を、リターナブル瓶１の表面であって最上部コンタクトポイント４ａよりも上方位置にのみ、かつ、リターナブル瓶１内に充填された内容物の上部位置まで、あるいは内容物の上部位置よりも上方位置まで、塗布する。【選択図】      図１
2005029185.tif 000002
【特許請求の範囲】
【請求項１】
内容物を充填したリターナブル瓶をケースに収容する前に、特定波長の光線を遮光するためのリターナブル瓶用被覆材を、前記リターナブル瓶の表面であって最上部コンタクトポイントよりも上方位置にのみ、かつ、前記リターナブル瓶内に充填された内容物の上部位置まで、あるいは該内容物の上部位置よりも上方位置まで、塗布することを特徴とするリターナブル瓶用被覆材の被覆方法。
【請求項２】
前記リターナブル瓶用被覆材を、前記最上部コンタクトポイントから１０ｍｍ上方以内位置から上方に塗布することを特徴とする請求項１記載のリターナブル瓶用被覆材の被覆方法。
【請求項３】
特定波長の光線を遮光するためのリターナブル瓶用被覆材を、瓶表面であって最上部コンタクトポイントよりも上方位置にのみ、かつ、前記瓶内に充填された内容物の上部位置まで、あるいは該内容物の上部位置よりも上方位置まで、塗布したことを特徴とするリターナブル瓶。
【請求項４】
前記リターナブル瓶用被覆材を、前記最上部コンタクトポイントから１０ｍｍ上方以内位置から上方に塗布したことを特徴とする請求項３記載のリターナブル瓶。
【発明の詳細な説明】
【０００１】
【発明の属する技術分野】
本発明は、リターナブル瓶用被覆材の被覆方法及びリターナブル瓶に関する。
【０００２】
【従来の技術】
ビールや清涼飲料水などの内容物を充填するガラス瓶の中には、一度流通過程にまわった後の空瓶を回収して、再使用するよう設計されているもの、いわゆるリターナブル瓶と呼ばれるものがある。
このリターナブル瓶は、一度流通過程にまわった後にビールや清涼飲料水などの内容物の製造工場に回収されて先ず洗浄され、その後、洗浄されたリターナブル瓶内にビールや清涼飲料水などの内容物が充填され、飲料が充填されたリターナブル瓶がリターナブルケースと呼ばれる樹脂製のケース内に収容されて出荷されるようになっている。
【０００３】
ところで、内容物が充填されたリターナブル瓶が出荷されると、リターナブル瓶がケースに入った状態で日光にさらされ、飲料が変質してしまい、いわゆる「日光臭」と呼ばれる臭気が内容物中に発生することがある。
この臭気の発生を防止するための従来の方法として、例えば、特許文献１には、特定の皮膜形成性を有する樹脂組成物と特定波長の光を遮光する顔料とからなるガラス容器用被覆材及び該被覆材を被覆してなるガラス容器が提案されている。
【０００４】
【特許文献１】
特開２００１−２７９１８５号公報
【０００５】
【発明が解決しようとする課題】
しかしながら、この特許文献１に開示されたガラス容器用被覆材及び該被覆材を被覆してなるガラス容器にあっては、以下の問題点があった。
即ち、特許文献１にあっては、ガラス容器用被覆材を、ガラス容器、例えば、リターナブル瓶のどの位置に被覆するかの具体的な開示がない。このため、ビールや清涼飲料水などをリターナブル瓶に充填したり、あるいはビールや清涼飲料水などの内容物を充填したリターナブル瓶をケース内に収容する工程におけるリターナブル瓶の搬送工程において、ガラス容器用被覆材のリターナブル瓶に対する被覆位置によっては被覆材の一部が擦れて搬送ラインを汚したり、あるいは、出荷後にリターナブル瓶を収容したケースを汚してしまうことがあった。
【０００６】
これを詳細に説明すると、ビールを充填するリターナブル瓶１００は、例えば、図５に示すように、底部１０１と、底部１０１から上方に延びる胴部１０２と、胴部１０２の上方に形成され、湾曲しつつ縮径する肩部１０３と、肩部１０３から上方に延びる首部１０４とを備えている。そして、底部１０１上端及び肩部１０３下端のそれぞれには、同種の瓶同士をすり合わせた場合に互いに接触し擦り傷ができる底部コンタクトポイント１０１ａ、最上部コンタクトポイント１０３ａが形成されている。ガラス容器被覆材を最上部コンタクトポイント１０３ａを含む最上部コンタクトポイント１０３ａから下方に被覆すると、リターナブル瓶の搬送工程において、被覆材の一部が搬送ラインを構成するリターナブル瓶の案内ガイドに接触して擦れ、その搬送ラインを汚したり、あるいは、被覆材の一部がリターナブル瓶を収容したケースに接触してそのケースを汚してしまうのである。被覆材の他部材に対する接触は、底部コンタクトポイント１０１ａ及び最上部コンタクトポイント１０３ａで顕著になされ、被覆材の擦れ量も底部コンタクトポイント１０１ａ及び最上部コンタクトポイント１０３ａで大きい。
【０００７】
また、被覆材の一部が擦れることにより、被覆材に傷がつき、リターナブル瓶の外観の美観に悪影響を与えることがあった。
さらに、被覆材をリターナブル瓶に対して適正でない位置に被覆すると、本来の内容物に対する遮光性を期待できないことがあった。
加えて、被覆材をリターナブル瓶に対して必要以上の位置に被覆することにより、リターナブル瓶が高価になり、経済的にも好ましくなかった。
従って、本発明は上述の問題点に鑑みてなされたものであり、その目的は、搬送ラインやケースに対しての防汚染性、被覆材の耐傷性、内容物に対する遮光性、及び経済性に優れたリターナブル瓶用被覆材の被覆方法及びリターナブル瓶を提供することにある。
【０００８】
【課題を解決するための手段】
上記問題を解決するため、本発明のうち請求項１に係るリターナブル瓶用被覆材の被覆方法は、内容物を充填したリターナブル瓶をケースに収容する前に、特定波長の光線を遮光するためのリターナブル瓶用被覆材を、前記リターナブル瓶の表面であって最上部コンタクトポイントよりも上方位置にのみ、かつ、前記リターナブル瓶内に充填された内容物の上部位置まで、あるいは該内容物の上部位置よりも上方位置まで、塗布することを特徴としている。
【０００９】
この被覆方法によれば、内容物を充填したリターナブル瓶がケース内に収容されたときには、リターナブル瓶の表面であって最上部コンタクトポイントよりも上方位置にのみ、特定波長の光線を遮光するためのリターナブル瓶用被覆材が塗布されている。従って、最上部コンタクトポイントよりも上方位置の内容物に対してはリターナブル瓶用被覆材により特定波長の光線が遮光され、最上部コンタクトポイントよりも下方位置の内容物に対しては主にケースにより特定波長の光線が遮光される。そして、リターナブル瓶用被覆材を最上部コンタクトポイントを含む最上部コンタクトポイントから下方に被覆していないので、リターナブル瓶の搬送工程において、リターナブル瓶用被覆材の一部が搬送ラインを構成するリターナブル瓶の案内ガイドに接触して剥がれ、その搬送ラインを汚したりすることはない。また、リターナブル瓶用被覆材の一部がリターナブル瓶を収容したケースに接触してそのケースを汚してしまうこともない。また、リターナブル瓶用被覆材の一部がリターナブル瓶から剥がれることにより、該被覆材に傷がついてしまうこともない。さらに、リターナブル瓶の表面であって最上部コンタクトポイントよりも上方位置にのみ、リターナブル瓶用被覆材を塗布することから、リターナブル瓶を安価に製造することができる。また、リターナブル瓶内に充填された内容物の上部位置まで、あるいは該内容物の上部位置よりも上方位置までリターナブル瓶用被覆材が塗布されているので、最上部コンタクトポイントよりも上方位置の内容物に対して確実にリターナブル瓶用被覆材により特定波長の光線を遮光することができる。なお、「最上部コンタクトポイントよりも上方位置」には、最上部コンタクトポイントは含まれない。
【００１０】
また、本発明のうち請求項２に係るリターナブル瓶用被覆材の被覆方法は、請求項１記載の発明において、前記リターナブル瓶用被覆材を、前記最上部コンタクトポイントから１０ｍｍ上方以内位置から上方に塗布することを特徴としている。
この被覆方法によれば、内容物を充填したリターナブル瓶がケース内に収容されたときには、リターナブル瓶の表面であって最上部コンタクトポイントよりも上方位置で、かつ、最上部コンタクトポイントから１０ｍｍ上方以内位置から上方に特定波長の光線を遮光するためのリターナブル瓶用被覆材が塗布されている。従って、リターナブル瓶用被覆材の被覆位置が内容物に対して上方すぎずに、遮光効果を効果的に発揮することができる。最上部コンタクトポイントから１０ｍｍ上方よりも上方位置から上方にリターナブル瓶被覆材を塗布すると、リターナブル瓶用被覆材の被覆位置が内容物に対して上方すぎて遮光効果が薄れることになる。
【００１１】
また、本発明のうち請求項３に係るリターナブル瓶は、特定波長の光線を遮光するためのリターナブル瓶用被覆材を、瓶表面であって最上部コンタクトポイントよりも上方位置にのみ、かつ、前記瓶内に充填された内容物の上部位置まで、あるいは該内容物の上部位置よりも上方位置まで、塗布したことを特徴としている。
また、本発明のうち請求項４に係るリターナブル瓶は、請求項３記載の発明において、前記リターナブル瓶用被覆材を、前記最上部コンタクトポイントから１０ｍｍ上方以内位置から上方に塗布したことを特徴としている。
【００１２】
【発明の実施の形態】
次に本発明の実施形態を図面を参照して説明する。図１は本発明に係るリターナブル瓶の一実施形態の正面図である。
図１において、リターナブル瓶１は、底部２と、底部２から上方に延びる胴部３と、胴部３の上端から上方に延び、湾曲しつつ縮径する肩部４と、肩部４の上端から上方に延びる首部５と、首部５の上端に形成された口部６とを具備し、成形によって一体的に形成されている。そして、底部２上端及び肩部４下端のそれぞれには、同種の瓶同士をすり合わせた場合に互いに接触し擦り傷ができる底部コンタクトポイント２ａ、最上部コンタクトポイント４ａが形成されている。底部コンタクトポイント２ａは、リターナブル瓶１の底面から高さＨ１の位置に存在している。また、最上部コンタクトポイント４ａは、リターナブル瓶１の底面から高さＨ２の位置に存在している。そして、首部５には、リターナブル瓶１の底面から高さＨ４の位置に入味線Ｌが形成されている。この高さＨ４の位置は、ビールあるいは清涼飲料水などの内容物が６３３ｍｌ充填される位置である。図１のリターナブル瓶１には、この入味線Ｌまで内容物が充填されている。
【００１３】
そして、リターナブル瓶１の表面であって最上部コンタクトポイント４ａよりも上方位置にのみ、特定波長の光線を遮光するためのリターナブル瓶用被覆材（図１において斜線部分で示されている）７が被覆されている。具体的には、リターナブル瓶用被覆材７は、最上部コンタクトポイント４ａから１０ｍｍ上方以内の高さＨ３の位置から上方に被覆され、入味線Ｌの高さＨ４の位置まで、即ち瓶１内に充填された内容物の上部位置まで被覆されている。瓶１内に充填された内容物の上部位置が入味線Ｌの位置と異なるときには、リターナブル瓶用被覆材７は瓶１内に充填された内容物の上部位置まで被覆される。リターナブル瓶用被覆材７は、特定の皮膜形成性を有する樹脂組成物と特定波長の光を遮光する顔料又は染料で構成されている。特定の皮膜形成性を有する樹脂組成物としては、被覆前に流動性を有し、被覆、硬化後に連続した皮膜を形成し得る樹脂組成物であって、アルカリ剥離性を有する樹脂組成物であり、具体的には、アクリルとシリコーンとを共重合したアクリル系シリコーン樹脂が用いられる。また、特定波長の光を遮光する顔料として、具体的に３００〜５５０ｎｍの光線を遮光する顔料が用いられる。
【００１４】
次に、リターナブル瓶用被覆材７の被覆方法について説明する。
一度流通過程にまわった後のリターナブル瓶１は、ビール又は清涼飲料水などの内容物を製造する工場に回収される。
そして、この製造工場において、先ず、リターナブル瓶１は洗浄される。リターナブル瓶１の洗浄により、瓶内あるいは瓶外に付着した異物が洗浄される。このとき、既にリターナブル瓶１の表面に被覆されているリターナブル瓶用被覆材７も、アルカリ剥離性を有することから、リターナブル瓶１の表面から剥離される。
次いで、洗浄されたリターナブル瓶１は、搬送ラインによって搬送され、そのリターナブル瓶１内にビール又は清涼飲料水などの内容物が充填される。このとき、内容物は、リターナブル瓶１内の入味線Ｌの高さＨ４の位置まで充填される。
【００１５】
その後、内容物を充填したリターナブル瓶１は、搬送ラインによって搬送され、そのリターナブル瓶１の表面にリターナブル瓶用被覆材７が被覆される。この被覆においては、リターナブル瓶１の表面であって最上部コンタクトポイント４ａよりも上方位置にのみ、リターナブル瓶用被覆材７を塗布、具体的には、肩部コンタクトポイント４ａから１０ｍｍ上方以内の高さＨ３の位置から上方に、入味線Ｌの高さＨ４の位置まで、即ちリターナブル瓶１内に充填された内容物の上部位置まで塗布する。瓶１内に充填された内容物の上部位置が入味線Ｌの位置と異なるときには、リターナブル瓶用被覆材７を瓶１内に充填された内容物の上部位置まで塗布する。リターナブル瓶用被覆材７の塗布に際しては、例えば、ローラー式コーティング装置、コーティングベルト式コーティング装置またはスプレー式コーティング装置を使用する方法、刷毛塗り、パフ塗りなどが使用される。
そして、リターナブル瓶用被覆材７を被覆したリターナブル瓶１は、搬送ラインによって搬送され、リターナブルケース（図示せず）内に収容される。その後、リターナブルケース内に収容されたリターナブル瓶１は出荷されることになる。
【００１６】
このリターナブル被覆材７の被覆方法によれば、内容物を充填したリターナブル瓶１がリターナブルケース内に収容されたときには、リターナブル瓶１の表面であって最上部コンタクトポイント４ａよりも上方位置にのみ、特定波長の光線を遮光するためのリターナブル瓶用被覆材７が塗布されている。従って、最上部コンタクトポイント４ａよりも上方位置の内容物に対してはリターナブル瓶用被覆材７により特定波長の光線が遮光され、最上部コンタクトポイント４ａよりも下方位置の内容物に対しては主にリターナブルケースにより特定波長の光線が遮光される。そして、リターナブル瓶用被覆材７を最上部コンタクトポイント４ａを含む最上部コンタクトポイント４ａから下方に被覆していないので、リターナブル瓶１の搬送工程において、リターナブル瓶用被覆材７の一部が搬送ラインを構成するリターナブル瓶１の案内ガイドに接触して剥がれ、その搬送ラインを汚したりすることはない。また、リターナブルケース内に収容されたリターナブル瓶１を出荷するときにも、リターナブル瓶用被覆材７の一部がリターナブル瓶１を収容したケースに接触してそのケースを汚してしまうこともない。また、リターナブル瓶用被覆材７の一部がリターナブル瓶１から剥がれることにより、該被覆材７に傷がついてしまうこともない。さらに、リターナブル瓶１の表面であって最上部コンタクトポイント４ａよりも上方位置にのみ、リターナブル瓶用被覆材７を塗布することから、リターナブル瓶１を安価に製造することができる。
【００１７】
また、リターナブル瓶用被覆材７を、リターナブル瓶１内に充填された内容物の上部位置まで塗布しているので、最上部コンタクトポイント４ａよりも上方位置の内容物に対して確実にリターナブル瓶用被覆材７により特定波長の光線を遮光することができる。
更に、リターナブル瓶用被覆材７を、最上部コンタクトポイント４ａから１０ｍｍ上方以内の高さＨ３の位置から上方に塗布しているので、リターナブル瓶用被覆材７の被覆位置が内容物に対して上方すぎずに、遮光効果を効果的に発揮することができる。
【００１８】
次に、本発明に係るリターナブル瓶の他の実施形態について図２を参照して説明する。図２は本発明に係るリターナブル瓶の他の実施形態の正面図である。
図２におけるリターナブル瓶１は、図１に示すリターナブル瓶１と基本構成は同様であるが、リターナブル瓶用被覆材７の被覆上端位置が異なっている。
即ち、リターナブル瓶用被覆材７の被覆においては、最上部コンタクトポイント４ａから１０ｍｍ上方以内の高さＨ３の位置から上方に、入味線Ｌの高さＨ４の位置よりも上方位置まで、即ちリターナブル瓶１内に充填された内容物の上部位置よりも上方位置Ｈ５まで塗布するようにしている。
【００１９】
このリターナブル瓶用被覆材７の被覆方法によれば、前記被覆材７を、リターナブル瓶１内に充填された内容物の上部位置よりも上方位置まで塗布しているので、最上部コンタクトポイント４ａよりも上方位置の内容物に対してより確実にリターナブル瓶用被覆材７により特定波長の光線を遮光することができる。
【００２０】
【実施例】
表１及び表２に示す条件でリターナブル瓶の表面にリターナブル瓶用被覆材を被覆し、その際の官能評価、防汚染性評価、及び耐傷性評価を行って本発明の効果を検証した。表１及び表２にリターナブル瓶用被覆材の被覆条件及び評価結果を示す。
【００２１】
【表１】
2005029185.tif 000003
【００２２】
【表２】
2005029185.tif 000004
【００２３】
リターナブル瓶用被覆材を被覆する前のリターナブル瓶は、図１に示すものと同様のもので、最上部コンタクトポイント４ａの高さ位置Ｈ２がリターナブル瓶１の底面から１４９ｍｍにあり、内容物の量は入味線Ｌの位置Ｈ４（６３３ｍｍ）である２１９ｍｍまである。
【００２４】
表１において、実施例１はリターナブル瓶用被覆材の被覆下端位置がリターナブル瓶の底面から１５０ｍｍ、被覆上端位置がリターナブル瓶の底面から２１９ｍｍとなるようにリターナブル瓶用被覆材を被覆する。従って、実施例１は請求項１及び２、３及び４の要件を全て満たしている。また、実施例２はリターナブル瓶用被覆材の被覆下端位置がリターナブル瓶の底面から１５１ｍｍ、被覆上端位置がリターナブル瓶の底面から２２５ｍｍとなるようにリターナブル瓶用被覆材を被覆する。従って、実施例２は請求項１及び２、３及び４の要件を全て満たしている。また、実施例３はリターナブル瓶用被覆材の被覆下端位置がリターナブル瓶の底面から１５２ｍｍ、被覆上端位置がリターナブル瓶の底面から２２８ｍｍとなるようにリターナブル瓶用被覆材を被覆する。従って、実施例３は請求項１及び２、３及び４の要件を全て満たしている。また、実施例４はリターナブル瓶用被覆材の被覆下端位置がリターナブル瓶の底面から１５２ｍｍ、被覆上端位置がリターナブル瓶の底面から２３０ｍｍとなるようにリターナブル瓶用被覆材を被覆する。従って、実施例４は請求項１及び２、３及び４の要件を全て満たしている。
【００２５】
表１において、実施例５はリターナブル瓶用被覆材の被覆下端位置がリターナブル瓶の底面から１６０ｍｍ、被覆上端位置がリターナブル瓶の底面から２１９ｍｍとなるようにリターナブル瓶用被覆材を被覆する。従って、実施例５は請求項１、３の要件を満たすが、リターナブル瓶用被覆材の被覆下端位置が最上部コンタクトポイント４ａから１０ｍｍを超え請求項２、４の要件を満たしていない。
【００２６】
一方、表２において、比較例１はリターナブル瓶用被覆材の被覆下端位置がリターナブル瓶の底面から１４８ｍｍ、被覆上端位置がリターナブル瓶の底面から２１９ｍｍとなるようにリターナブル瓶用被覆材を被覆する。従って、比較例１は被覆材の被覆下端位置が下方すぎるため請求項１及び２、３及び４の要件を満たしていない。また、比較例２はリターナブル瓶用被覆材の被覆下端位置がリターナブル瓶の底面から１５２ｍｍ、被覆上端位置がリターナブル瓶の底面から２１０ｍｍとなるようにリターナブル瓶用被覆材を被覆する。従って、比較例２は請求項２、４単独の要件を満たすが、被覆材の被覆上端位置が下方すぎるため請求項１、３の要件を満たしていない。また、比較例３はリターナブル瓶用被覆材の被覆下端位置がリターナブル瓶の底面から２０ｍｍ、被覆上端位置がリターナブル瓶の底面から２２８ｍｍとなるようにリターナブル瓶用被覆材を被覆する。従って、比較例３は被覆材の被覆下端位置が下方すぎるため請求項１及び２、３及び４の要件を満たしていない。また、比較例４はリターナブル瓶用被覆材の被覆下端位置がリターナブル瓶の底面から１４５ｍｍ、被覆上端位置がリターナブル瓶の底面から２０５ｍｍとなるようにリターナブル瓶用被覆材を被覆する。従って、比較例４は、被覆材の被覆下端位置が下方すぎ被覆材の被覆上端位置が下方すぎるため請求項１及び２、３及び４の要件を満たしていない。
【００２７】
官能評価においては、評価用瓶体を、リターナブルプラスチックケース（通称、Ｐ箱）内に収容し、約５時間ほどウェザオメーターのキセノンランプの光線をリターナブル瓶に向けて照射し、その後の瓶内の内容物の臭いを検査員が検査し、下記の基準で３段階評価した。
○：内容物の臭いが確認されない。
△：内容物の臭いがわずかに確認されるが問題とならない。
×：内容物の臭いが確認され問題となる。
【００２８】
防汚染性評価においては、評価用瓶体を所定のリターナブルプラスチックケースに所定本数入れ、そのケースをエミック（株）社製の振動試験機に固定し、振動周波数５〜４０Ｈｚ、加振周波数１Ｇ、振幅１０ｃｍで４０分間振動した。その時のリターナブルプラスチックケース内側のリターナブル瓶用被覆材の付着状況を観察し、下記の基準で３段階評価した。
○：被覆材の付着が見られない。
△：被覆材の付着がわずかに観察される。
×：被覆材の付着が観察される。
【００２９】
耐傷性評価においては、評価用瓶体をＡＧＲ（Ａｍｅｒｉｃａｎ  Ｇｌａｓｓ  Ｒｅｓｅａｒｃｈ  ）社製ラインシュミレーターに所定本数並べ、約１分間稼動させた後、リターナブル瓶用被覆材の傷つき状況を観察し、下記の基準で３段階評価した。
○：被覆材の傷つきが見られない。
△：被覆材の傷つきがわずかに観察される。
×：被覆材の傷つきが観察される。
【００３０】
表１を参照すると、実施例１乃至４にあっては、官能評価でいずれも内容物の臭いが確認されず、防汚染性評価でいずれも被覆材の付着が見られず、また、耐傷性評価でいずれも被覆材の傷つきが見られず、良好な結果が得られた。
また、表１を参照すると、実施例５にあっては、防汚染性評価で被覆材の付着が見られず、また、耐傷性評価で被覆材の傷つきが見られないが、被覆材の被覆下端位置がやや上方すぎるため、官能評価で問題とならない程度に内容物の臭いがわずかに確認されている。
【００３１】
一方、表２を参照すると、比較例１にあっては、被覆材の被覆上端位置が適正であるため官能評価で内容物の臭いが確認されないが、被覆材の被覆下端位置が下方すぎるため、防汚染性評価で被覆材の付着が確認され、また、耐傷性評価で被覆材の傷つきが確認され、良好な結果が得られていない。また、比較例２にあっては、被覆材の被覆下端位置が適正であるため防汚染性評価で被覆材の付着が見られず、また、耐傷性評価で被覆材の傷つきが見られないが、被覆材の被覆上端位置が下方すぎるため官能評価で内容物の臭いが確認されている。また、比較例３にあっては、被覆材の被覆上端位置が適正位置であるため官能評価で内容物の臭いが確認されないが、被覆材の被覆下端位置が瓶底近傍で下方すぎるため、防汚染性評価で被覆材の付着が確認され、また、耐傷性評価で被覆材の傷つきが確認され、良好な結果が得られていない。更に、比較例４にあっては、被覆材の被覆上端位置が下方すぎるため官能評価で内容物の臭いが確認され、被覆材の被覆下端位置が下方すぎるため防汚染性評価で被覆材の付着が確認され、また、耐傷性評価で被覆材の傷つきが確認され、良好な結果が得られていない。
【００３２】
なお、図３は、リターナブル瓶用被覆材の被覆位置と官能評価との関係を示すグラフ、図４は図３におけるリターナブル瓶用被覆材の被覆位置を示す図である。
図４（ａ）に示すように、最上部コンタクトポイント４ａを含む最上部コンタクトポイント４ａよりも下方位置の胴部のみにリターナブル瓶用被覆材７を被覆した場合と、図４（ｂ）に示すように、最上部コンタクトポイント４ａよりも上方位置にのみリターナブル瓶用被覆材７を被覆した場合と、図４（ｃ）に示すように、リターナブル瓶１の表面全体にリターナブル瓶用被覆材７を被覆した場合と、図４（ｄ）に示すように、リターナブル瓶１の表面にリターナブル瓶用被覆材７を被覆しない場合とについて、官能評価を行い、図３のような結果を得た。
【００３３】
図３の縦軸は平均官能評価を示している。官能評価においては、内容物の臭いが全く確認されない場合を０．０、内容物の臭いがわずかに確認されるが問題とならない場合を２．０、内容物の臭いが確認され問題となる場合を４．０、内容物の臭いが激しい場合を６．０として評価し、所定本数を評価した平均値を図示している。
【００３４】
図３を参照すると、（ａ）胴部のみにリターナブル瓶用被覆材７を被覆した場合には、官能評価は平均値で約２．６で評価結果が良好とはいえないことが理解される。また、（ｂ）最上部コンタクトポイント４ａよりも上方位置にのみリターナブル瓶用被覆材７を被覆した場合には、官能評価は平均値で約１．０で評価結果が良好となっている。更に、（ｃ）リターナブル瓶１の表面全体にリターナブル瓶用被覆材７を被覆した場合には、官能評価は平均値で約１．０で評価結果が良好となっている。また、（ｄ）ターナブル瓶１の表面にリターナブル瓶用被覆材７を被覆しない場合には、官能評価は平均値で約４．０で評価結果が良好とはいえないことが理解される。
【００３５】
【発明の効果】
以上説明したように、本発明のうち請求項１に係るリターナブル瓶用被覆材の被覆方法及び請求項３に係るリターナブル瓶によれば、内容物を充填したリターナブル瓶がケース内に収容されたときには、リターナブル瓶の表面であって最上部コンタクトポイントよりも上方位置にのみ、特定波長の光線を遮光するためのリターナブル瓶用被覆材が塗布されている。従って、最上部コンタクトポイントよりも上方位置の内容物に対してはリターナブル瓶用被覆材により特定波長の光線が遮光され、最上部コンタクトポイントよりも下方位置の内容物に対しては主にケースにより特定波長の光線が遮光される。そして、リターナブル瓶用被覆材は、リターナブル瓶内に充填された内容物の上部位置まで、あるいは該内容物の上部位置よりも上方位置までリターナブル瓶用被覆材が塗布されているので、最上部コンタクトポイントよりも上方位置の内容物に対して確実にリターナブル瓶用被覆材により特定波長の光線を遮光することができる。
【００３６】
そして、リターナブル瓶用被覆材を最上部コンタクトポイントを含む最上部コンタクトポイントから下方に被覆していないので、リターナブル瓶の搬送工程において、リターナブル瓶用被覆材の一部が搬送ラインを構成するリターナブル瓶の案内ガイドに接触して剥がれ、その搬送ラインを汚したりすることはない。また、リターナブル瓶用被覆材の一部がリターナブル瓶を収容したケースに接触してそのケースを汚してしまうこともない。また、リターナブル瓶用被覆材の一部がリターナブル瓶から剥がれることにより、該被覆材に傷がついてしまうこともない。さらに、リターナブル瓶の表面であって最上部コンタクトポイントよりも上方位置にのみ、リターナブル瓶用被覆材を塗布することから、リターナブル瓶を安価に製造することができる。
【００３７】
また、本発明のうち請求項２に係るリターナブル瓶用被覆材の被覆方法及び請求項４に係るリターナブル瓶によれば、リターナブル瓶用被覆材を、最上部コンタクトポイントから１０ｍｍ上方以内位置から上方に塗布するので、内容物を充填したリターナブル瓶がケース内に収容されたときには、リターナブル瓶の表面であって最上部コンタクトポイントよりも上方位置で、かつ、最上部コンタクトポイントから１０ｍｍ上方以内位置から上方に特定波長の光線を遮光するためのリターナブル瓶用被覆材が塗布されている。従って、リターナブル瓶用被覆材の被覆位置が内容物に対して上方すぎずに、遮光効果を効果的に発揮することができる。
【図面の簡単な説明】
【図１】本発明に係るリターナブル瓶の一実施形態の正面図である。
【図２】本発明に係るリターナブル瓶の他の実施形態の正面図である。
【図３】リターナブル瓶用被覆材の被覆位置と官能評価との関係を示すグラフである。
【図４】図３におけるリターナブル瓶用被覆材の被覆位置を示す図である。
【図５】従来のリターナブル瓶の平面図である。
【符号の説明】
１  リターナブル瓶
２  底部
２ａ  底部コンタクトポイント
３  胴部
４  肩部
４ａ  最上部コンタクトポイント
５  首部
６  口部
７  リターナブル瓶用被覆材
Ｌ  入味線
【図１】
2005029185.tif 000005
【図２】
2005029185.tif 000006
【図３】
2005029185.tif 000007
【図４】
2005029185.tif 000008
【図５】
2005029185.tif 000009